【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
複数のノズルが形成されたノズル形成面を有し、前記ノズルから所定色のインクを吐出することで記録媒体上に画像を記録する第１のラインヘッドと、
複数のノズルが形成されたノズル形成面を有し、前記ノズルから前記第１のラインヘッドが吐出する前記インクとは異なる色のインクを吐出することで前記記録媒体上に画像を記録する前記第１のラインヘッドより前記記録媒体の搬送方向下流側に配置された第２のラインヘッドと、
前記第１のラインヘッドのメンテナンス時は前記第１のラインヘッドと対向し、前記第２のラインヘッドのメンテナンス時は前記第２のラインヘッドと対向し、前記第１のラインヘッド、及び前記第２のラインヘッドの夫々から垂れ落ちた前記インクを回収するインク受け皿と、
前記インク受け皿上に設けられ、前記第１のラインヘッドの前記ノズルの配列方向に移動することで前記第１のラインヘッドの前記ノズル形成面のメンテナンスを行う第１のメンテナンス部と、
前記インク受け皿上に設けられ、前記第２のラインヘッドの前記ノズルの配列方向に移動することで前記第２のラインヘッドの前記ノズル形成面のメンテナンスを行う第２のメンテナンス部と、を有し、
前記インク受け皿上において、前記第１のメンテナンス部の前記配列方向に移動する移動経路と前記第２のメンテナンス部の前記配列方向に移動する移動経路との少なくとも一部が重複している、ことを特徴とするインクジェット画像記録装置。
【請求項２】
前記第１のメンテナンス部の前記移動経路と前記第２のメンテナンス部の前記移動経路とが同一である、ことを特徴とする請求項１に記載のインクジェット画像記録装置。
【請求項３】
前記第１のメンテナンス部は、前記インク受け皿の前記配列方向における一端側に配置され、
前記第２のメンテナンス部は、前記インク受け皿の前記配列方向における他端側に配置され、
前記第１のラインヘッドのメンテナンスを行う際、前記インク受け皿が前記第１のラインヘッドと対向すると共に、前記第１のメンテナンス部が前記一端側から前記他端側に向けて前記インク受け皿上を移動し、
前記第２のラインヘッドのメンテナンスを行う際、前記インク受け皿が前記第２のラインヘッドと対向すると共に、前記第２のメンテナンス部が前記他端側から前記一端側に向けて前記インク受け皿上を移動する、ことを特徴とする請求項１、又は２に記載のインクジェット画像記録装置。
【請求項４】
前記第１のメンテナンス部、及び前記第２のメンテナンス部は、前記インク受け皿の前記配列方向における一端側に配置され、
前記第１のラインヘッドのメンテナンスを行う際、前記インク受け皿が前記第１のラインヘッドと対向すると共に、前記第１のメンテナンス部が前記一端側から前記配列方向における他端側に向けて前記インク受け皿上を移動し、
前記第２のラインヘッドのメンテナンスを行う際、前記インク受け皿が前記第２のラインヘッドと対向すると共に、前記第２のメンテナンス部が前記一端側から前記配列方向における他端側に向けて前記インク受け皿上を移動する、ことを特徴とする請求項１、又は２に記載のインクジェット画像記録装置。
【請求項５】
前記第１のメンテナンス部、及び前記第２のメンテナンス部は、前記インク受け皿の前記配列方向における一端側に配置され、
前記第１のラインヘッドのメンテナンスを行う際、前記インク受け皿が前記第１のラインヘッドと対向すると共に、前記第２のメンテナンス部が前記第１のラインヘッドから退避した状態で前記第１のメンテナンス部、及び前記第２のメンテナンス部が前記一端側から前記配列方向における他端側に向けて前記インク受け皿上を移動し、
前記第２のラインヘッドのメンテナンスを行う際、前記インク受け皿が前記第２のラインヘッドと対向すると共に、前記第１のメンテナンス部が前記第２のラインヘッドから退避した状態で前記第１のメンテナンス部、及び前記第２のメンテナンス部が前記一端側から前記配列方向における他端側に向けて前記インク受け皿上を移動する、ことを特徴とする請求項１、又は２に記載のインクジェット画像記録装置。
【請求項６】
前記第１のメンテナンス部、及び前記第２のメンテナンス部は、前記インク受け皿の前記配列方向における一端側に配置され、
前記第１のラインヘッドのメンテナンスを行う際、前記インク受け皿が前記第１のラインヘッドと対向すると共に、前記第２のメンテナンス部が前記第１のラインヘッドから退避した状態で前記第１のメンテナンス部、及び前記第２のメンテナンス部が前記一端側から前記配列方向における他端側に向けて前記インク受け皿上を移動し、
前記第２のラインヘッドのメンテナンスを行う際、前記インク受け皿が前記第２のラインヘッドと対向すると共に、前記第１のメンテナンス部が前記第２のラインヘッドから退避した状態で前記第１のメンテナンス部、及び前記第２のメンテナンス部が前記他端側から前記一端側に向けて前記インク受け皿上を移動する、ことを特徴とする請求項１、又は２に記載のインクジェット画像記録装置。
【請求項７】
複数のノズルから所定色のインクを吐出し、記録媒体上に画像を記録する第１のラインヘッドと、
前記第１のラインヘッドより前記記録媒体の搬送方向下流側に配置され、複数のノズルから前記第１のラインヘッドが吐出する前記インクとは異なる色のインクを吐出し、前記記録媒体上に画像を記録する第２のラインヘッドと、
前記第１のラインヘッドの前記ノズルの配列方向に移動し、前記第１のラインヘッドのメンテナンスを行う第１のメンテナンス部と、
前記第２のラインヘッドの前記ノズルの配列方向に移動し、前記第２のラインヘッドのメンテナンスを行う第２のメンテナンス部と、を有し、
前記第１のラインヘッドのメンテナンスを行う時の前記第１のメンテナンス部における前記配列方向に移動する移動経路と前記第２のラインヘッドのメンテナンスを行う時の前記第２のメンテナンス部における前記配列方向に移動する移動経路とが同一である、ことを特徴とするインクジェット画像記録装置。
【手続補正２】
【補正対象書類名】明細書
【補正対象項目名】０００９
【補正方法】変更
【補正の内容】
【０００９】
上記課題を解決するために、本発明のインクジェット画像記録装置は、複数のノズルが形成されたノズル形成面を有し、前記ノズルから所定色のインクを吐出することで記録媒体上に画像を記録する第１のラインヘッドと、複数のノズルが形成されたノズル形成面を有し、前記ノズルから前記第１のラインヘッドが吐出する前記インクとは異なる色のインクを吐出することで前記記録媒体上に画像を記録する前記第１のラインヘッドより前記記録媒体の搬送方向下流側に配置された第２のラインヘッドと、前記第１のラインヘッドのメンテナンス時は前記第１のラインヘッドと対向し、前記第２のラインヘッドのメンテナンス時は前記第２のラインヘッドと対向し、前記第１のラインヘッド、及び前記第２のラインヘッドの夫々から垂れ落ちた前記インクを回収するインク受け皿と、前記インク受け皿上に設けられ、前記第１のラインヘッドの前記ノズルの配列方向に移動することで前記第１のラインヘッドの前記ノズル形成面のメンテナンスを行う第１のメンテナンス部と、前記インク受け皿上に設けられ、前記第２のラインヘッドの前記ノズルの配列方向に移動することで前記第２のラインヘッドの前記ノズル形成面のメンテナンスを行う第２のメンテナンス部と、を有し、前記インク受け皿上において、前記第１のメンテナンス部の前記配列方向に移動する移動経路と前記第２のメンテナンス部の前記配列方向に移動する移動経路との少なくとも一部が重複していることを特徴とする。
【手続補正３】
【補正対象書類名】明細書
【補正対象項目名】００１０
【補正方法】変更
【補正の内容】
【００１０】
さらに、本発明のインクジェット画像記録装置は、複数のノズルから所定色のインクを吐出し、記録媒体上に画像を記録する第１のラインヘッドと、前記第１のラインヘッドより前記記録媒体の搬送方向下流側に配置され、複数のノズルから前記第１のラインヘッドが吐出する前記インクとは異なる色のインクを吐出し、前記記録媒体上に画像を記録する第２のラインヘッドと、前記第１のラインヘッドの前記ノズルの配列方向に移動し、前記第１のラインヘッドのメンテナンスを行う第１のメンテナンス部と、前記第２のラインヘッドの前記ノズルの配列方向に移動し、前記第２のラインヘッドのメンテナンスを行う第２のメンテナンス部と、を有し、前記第１のラインヘッドのメンテナンスを行う時の前記第１のメンテナンス部における前記配列方向に移動する移動経路と前記第２のラインヘッドのメンテナンスを行う時の前記第２のメンテナンス部における前記配列方向に移動する移動経路とが同一であることを特徴とする。